【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
電子欠乏芳香族部分を含む隔離されたアクセプター単位を含んでなる可溶性縮合ドナー−アクセプター共役ポリマー（ｆＤＡ−ＣＰ）であって、
各上記アクセプター単位が可溶性側鎖を含む複数の縮合ドナー単位に隣接するとともに該縮合ドナー単位により分離され、
該共役ポリマーは、すべての可視波長域の光を吸収するため、肉眼では黒く見え、かつ隣接するポリマー鎖がπ−スタッキングして固体状態での層間距離が４．５Åより小さい、該共役ポリマー。
【請求項２】
上記の縮合ドナー単位が以下の構造を含む請求項１記載のｆＤＡ−ＣＰ：
【化１】
2012509984.tif 000001
ここで、Ｅは、−ＣＨ＝ＣＨ−、Ｓ、Ｓｅ、ＮＨ、ＮＲ、またはＳｉ；Ｘは、Ｃ、Ｓｉ、またはＮ；ｍは、１から５；ｐは０または１；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換されている。
【請求項３】
上記のアクセプター単位が、チアジアゾロキノキサリン、キノキサリン、チエノチアジアゾール、チエノピラジン、ピラジノキノキサリン、ベンゾチアジアゾール、ビス−ベンゾチアジアゾール、チアジアゾロチエノピラジン、ベンゾトリアゾールまたはそれらの組み合わせの誘導体から選択される少なくとも１種の誘導体を含む請求項１記載のｆＤＡ−ＣＰ。
【請求項４】
上記のアクセプター単位が、２，１，３−ベンゾチアジアゾールを含む請求項１記載のｆＤＡ−ＣＰ。
【請求項５】
上記ｆＤＡ−ＣＰが以下の構造を含む請求項１記載のｆＤＡ−ＣＰ：
【化２】
2012509984.tif 000002
ここで、Ａは、電子欠乏の芳香族部分を含むアクセプター単位；Ｅは、−ＣＨ＝ＣＨ−、Ｓ、Ｓｅ、ＮＨ、ＮＲ、またはＳｉ；Ｘは、Ｃ、Ｓｉ、またはＮ；ｎは５から１０，０００；ｍは、１から５；ｐは０または１；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換されている。
【請求項６】
上記のｆＤＡ−ＣＰが以下の構造を含む請求項１記載のｆＤＡ−ＣＰ：
【化３】
2012509984.tif 000003
ここで、Ａは、電子欠乏の芳香族部分を含むアクセプター単位；Ｅは、−ＣＨ＝ＣＨ−、Ｓ、Ｓｅ、ＮＨ、ＮＲ、またはＳｉ；Ｘは、Ｃ、Ｓｉ、またはＮ；ｎは５から１０，０００；ｍは１から５；ｐは０または１；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換されている。
【請求項７】
上記の縮合ドナー単位の間に、１個または複数個の共役芳香族単位をさらに含む請求項１記載のｆＤＡ−ＣＰ。
【請求項８】
上記の共役繰り返し単位が、置換または非置換のチオフェン単位を含む請求項７記載のｆＤＡ−ＣＰ。
【請求項９】
上記の共役繰り返し単位が、置換または非置換の、フェニレン単位、カルバゾール単位、フルオレイン単位、ピロール単位、フラン単位、チアゾロチアゾール単位、またはそれらの組み合わせを含む請求項７記載のｆＤＡ−ＣＰ。
【請求項１０】
上記のｆＤＡ−ＣＰが以下の構造を含む請求項１記載のｆＤＡ−ＣＰ：
【化４】
2012509984.tif 000004
ここで、Ａは、電子欠乏の芳香族部分を含むアクセプター単位；Ｅは、−ＣＨ＝ＣＨ−、Ｓ、Ｓｅ、ＮＨ、ＮＲ、またはＳｉ；Ｘは、Ｃ、Ｓｉ、またはＮ；ｎは５から１０，０００；ｍは１から５；ｘは１から５；ｐは０または１；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換されている。
【請求項１１】
上記のｆＤＡ−ＣＰが以下の構造を含む請求項１記載のｆＤＡ−ＣＰ：
【化５】
2012509984.tif 000005
ここで、Ｅは、−ＣＨ＝ＣＨ−、Ｓ、Ｓｅ、ＮＨ、ＮＲ、またはＳｉ；Ｘは、Ｃ、Ｓｉ、またはＮ；ｎは５から１０，０００；ｍは、１から５；ｐは０または１；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換されている。
【請求項１２】
上記のｆＤＡ−ＣＰが以下の構造を含む請求項１記載のｆＤＡ−ＣＰ：
【化６】
2012509984.tif 000006
ここで、Ｅは、−ＣＨ＝ＣＨ−、Ｓ、Ｓｅ、ＮＨ、ＮＲ、またはＳｉ；Ｘは、Ｃ、Ｓｉ、またはＮ；ｎは５から１０，０００；ｍは、１から５；ｐは０または１；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換されている。
【請求項１３】
上記のｆＤＡ−ＣＰが以下の構造を有する請求項１記載のｆＤＡ−ＣＰ：
【化７】
2012509984.tif 000007
ここで、Ｅは、−ＣＨ＝ＣＨ−、Ｓ、Ｓｅ、ＮＨ、ＮＲ、またはＳｉ；Ｘは、Ｃ、Ｓｉ、またはＮ；ｎは５から１０，０００；ｍは、１から５；ｐは０または１；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換されている。
【請求項１４】
上記の縮合ドナー単位が、アクセプター繰り返し単位の間に、偶数の単分散列として存在している請求項１記載のｆＤＡ−ＣＰ。
【請求項１５】
以下の工程を含む、可溶性縮合ドナー−アクセプター共役ポリマー（ｆＤＡ−ＣＰ）の製造方法であって、該共役ポリマーが、すべての可視波長域の光を吸収するため、肉眼では黒く見え、かつ隣接するポリマー鎖がπ−スタッキングして固体状態での層間距離が４．５Åより小さい、該製造方法：
少なくとも１個のｆＤＡ−オリゴマーを含む重合混合物であって、該ｆＤＡ−オリゴマーは少なくとも１個の隔離されたアクセプター単位を含み、該アクセプター単位は縮合ドナー単位が側面に位置する電子欠乏芳香族部分を含み、少なくとも１個の縮合ドナー単位が上記ｆＤＡ−オリゴマーの各末端に位置する該重合混合物を用意する工程、および
該重合混合物を化学的に重合させる工程。
【請求項１６】
上記のアクセプター単位が、チアジアゾロキノキサリン、キノキサリン、チエノチアジアゾール、チエノピラジン、ピラジノキノキサリン、ベンゾチアジアゾール、ビス−ベンゾチアジアゾール、チアジアゾロチエノピラジン、ベンゾトリアゾールまたはそれらの組み合わせの誘導体から選択される少なくとも１種の誘導体を含む請求項１５記載の製造方法。
【請求項１７】
上記のアクセプター単位が、２，１，３−ベンゾチアジアゾールを含む請求項１５記載の製造方法。
【請求項１８】
上記のｆＤＡ−オリゴマーが以下の構造を含む請求項１５記載の製造方法：
【化８】
2012509984.tif 000008
ここで、Ａは、電子欠乏の芳香族部分を含むアクセプター単位；Ｅは、−ＣＨ＝ＣＨ−、Ｓ、Ｓｅ、ＮＨ、ＮＲ、またはＳｉ；Ｘは、Ｃ、Ｓｉ、またはＮ；ｍは、１から５；ｐは０または１；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換されている。
【請求項１９】
上記のｆＤＡ−オリゴマーが以下の構造を有する請求項１５記載の製造方法：
【化９】
2012509984.tif 000009
ここで、Ｅは、−ＣＨ＝ＣＨ−、Ｓ、Ｓｅ、ＮＨ、ＮＲ、またはＳｉ；Ｘは、Ｃ、Ｓｉ、またはＮ；ｍは、１から５；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換されている。
【請求項２０】
上記ｆＤＡ−オリゴマーが以下の構造を有する請求項１５記載の製造方法：
【化１０】
2012509984.tif 000010
ここで、Ａは、電子欠乏の芳香族部分を含むアクセプター単位；Ｅは、−ＣＨ＝ＣＨ−、Ｓ、Ｓｅ、ＮＨ、ＮＲ、またはＳｉ；Ｘは、Ｃ、Ｓｉ、またはＮ；ｍは、１から５；ｐは０または１；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換されている。
【請求項２１】
上記ｆＤＡ−オリゴマーが以下の構造を有する請求項１５記載の製造方法：
【化１１】
2012509984.tif 000011
ここで、Ｅは、−ＣＨ＝ＣＨ−、Ｓ、Ｓｅ、ＮＨ、ＮＲ、またはＳｉ；Ｘは、Ｃ、Ｓｉ、またはＮ；ｍは、１から５；ｐは０または１；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換されている。
【請求項２２】
上記の重合混合物が、少なくとも１個の共役芳香族単位を含むモノマーまたはオリゴマーをさらに含み、上記の重合混合物を重合する工程により、上記の共役芳香族単位が、上記ｆＤＡ−オリゴマーの縮合ドナー繰り返し単位によって上記アクセプター単位から分離される請求項１５記載の製造方法。
【請求項２３】
上記ｆＤＡ−オリゴマーが以下の構造を有する請求項２２記載の製造方法：
【化１２】
2012509984.tif 000012
ここで、Ａは、電子欠乏の芳香族部分を含むアクセプター単位；Ｅは、−ＣＨ＝ＣＨ−、Ｓ、Ｓｅ、ＮＨ、ＮＲ、またはＳｉ；ｍは１から５；Ｘは、ＣまたはＳｉ；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換され、さらに上記のモノマーまたはオリゴマーが、以下に示す共役繰り返し単位を少なくとも１種含み、式中ｘは１から５である。
【化１３】
2012509984.tif 000013
【請求項２４】
上記ｆＤＡ−オリゴマーが以下の構造を有する請求項２２記載の製造方法：
【化１４】
2012509984.tif 000014
ここで、Ｅは、−ＣＨ＝ＣＨ−、Ｓ、Ｓｅ、ＮＨ、ＮＲ、またはＳｉ；ｍは１から５；Ｘは、ＣまたはＳｉ；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換され、さらに上記のモノマーまたはオリゴマーが、以下に示す共役繰り返し単位を少なくとも１種含み、式中ｘは１から５である。
【化１５】
2012509984.tif 000015
【請求項２５】
上記ｆＤＡ−オリゴマーが以下の構造を有する請求項２２記載の製造方法：
【化１６】
2012509984.tif 000016
ここで、Ａは、電子欠乏の芳香族部分を含むアクセプター単位；Ｅは、−ＣＨ＝ＣＨ−、Ｓ、Ｓｅ、ＮＨ、ＮＲ、またはＳｉ；ｍは１から５；Ｘは、ＣまたはＳｉ；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換され、さらに上記のモノマーまたはオリゴマーが、以下に示す共役繰り返し単位を少なくとも１種含み、式中ｘは１から５である。
【化１７】
2012509984.tif 000017
【請求項２６】
上記ｆＤＡ−オリゴマーが以下の構造を有する請求項２２記載の製造方法：
【化１８】
2012509984.tif 000018
ここで、Ｅは、−ＣＨ＝ＣＨ−、Ｓ、Ｓｅ、ＮＨ、ＮＲ、またはＳｉ；ｍは１から５；Ｘは、ＣまたはＳｉ；Ｒは直鎖状または分岐鎖状のＣ１−２４のアルキル、直鎖状または分岐鎖状のＣ２−２４のアルキレニル、直鎖状または分岐鎖状のＳｉ１−１０のシランまたはシロキサンで水素、メチル、Ｃ２−６のアルキルまたはアリルで置換され、さらに上記のモノマーまたはオリゴマーが、以下に示す共役繰り返し単位を少なくとも１種含み、式中ｘは１から５である。
【化１９】
2012509984.tif 000019